(57)【特許請求の範囲】
【請求項１】
本体の表側に個人識別情報等の数字や記号等を入力する入力部及び入力部からの入力情報等を表示する表示部を有した小型入力機に取付けられ上記表示部を入力者以外の者に見えにくいように遮蔽する小型入力機用遮蔽装置において、入力者の上記入力部への入力及び入力者の上記表示部の視認を可能にして上記表示部の周囲に立設される遮蔽板と、該遮蔽板を上記本体に取付ける取付部とを備え、
上記遮蔽板を、上記表示部の後側に位置する後板と、該後板に連設され上記表示部の左右側に位置する一対の側板とを備えて構成し、
上記一対の側板を上記後板から前側に向けて互いに拡開するように設け、
上記一対の側板の上縁を上に凸の曲線状に形成し、
上記取付部を上記後板及び側板の少なくともいずれかの下縁に連設され上記小型入力機の本体の底面に付設可能な底板で形成し、
上記底板を、上記一対の側板の下縁に夫々連設し、
上記底板に、上記小型入力機の本体の底面に貼着可能な粘着シートを設け、
上記底板に、上記小型入力機の本体の底面の側縁に対応する基準線を形成し、
上記小型入力機の本体の底面に凸部がある場合に、上記底板に該凸部が貫通可能な切欠きを形成し、
上記小型入力機の本体の底面に一般面と角度が異なる異角面がある場合に、上記底板に該異角面に対応する異角面片を形成したことを特徴とする小型入力機用遮蔽装置。
【請求項２】
上記後板，一対の側板及び底板を折れ線を介して折曲可能に連設した可撓性シート状部材で形成し、該シート状部材を折れ線で折曲して組み立て可能にしたことを特徴とする請求項１記載の小型入力機用遮蔽装置。
【請求項３】
上記小型入力機の本体の底面に一般面と角度が異なる異角面がある場合に、上記底板に該異角面に対応する異角片を形成し、かつ、異角片を折れ線を介して折曲可能に設けたことを特徴とする請求項２記載の小型入力機用遮蔽装置。
【請求項４】
上記シート状部材を、樹脂で形成したことを特徴とする請求項２または３記載の小型入力機用遮蔽装置。
【請求項５】
上記シート状部材を、塩化ビニル樹脂で形成したことを特徴とする請求項４記載の小型入力機用遮蔽装置。
【発明の詳細な説明】
【０００１】
【発明の属する技術分野】
本発明は、個人識別情報等を入力する小型入力機に取付けられる小型入力機用遮蔽装置に係り、特に、個人識別情報等が表示される表示部を入力者以外の者に見えにくいように遮蔽する小型入力機用遮蔽装置に関する。
【０００２】
【従来の技術】
一般に、小型入力機としては、例えば、図６に示すように、小売店等の店舗とカード会社や金融機関との間で通信回線を介して顧客の利用代金に係る処理を行なう取引システムに用いられる所謂ピンパットといわれるものが知られている。この小型入力機Ｋは、カード会社や金融機関と接続されたターミナル１にコード１ａを介して接続されており、略直方体状の本体２と、本体２の後側に設けられクレジットカード，デビットカードあるいは所謂ＩＣカード等のカードのデータを読み込むカード挿入部３と、本体２の表側の前側に設けられ個人識別情報等の数字や記号等を入力するテンキー等の押釦ボタン群からなる入力部４と、カード挿入部３と入力部４との間に設けられ入力部４からの入力情報等を液晶表示する表示部５とを備えている。また、本体２の底面７の後側に脚部６が突設され、この脚部６及び本体２の底面７の前端を接地させて表側を入力者に操作させ易いように傾斜させて、載置できるようにしている。
そして、例えば、デビットカードを使用する場合で説明すると、小売店で顧客がデビットカードにより代金を支払う際に、店員が顧客に小型入力機Ｋを受け渡して、デビットカードを小型入力機Ｋのカード挿入部３に挿入するとともに、顧客が入力部４から暗証番号等の個人識別情報を入力する。これにより、例えば、金融機関等に入力データ等が転送され、利用代金が顧客の貯金口座から自動引き落としされて加盟店へ入金されるようになる。
【０００３】
【発明が解決しようとする課題】
ところで、このような小型入力機Ｋにあっては、入力部４から暗証番号等の個人識別情報を入力する際、近隣の顧客や店舗従業員等から、表示部５を見られてその内容が知られてしまうことがあり、個人識別情報が第三者に漏洩する危険性をはらんでいるという問題があった。
入力する暗証番号は個人の信用やプライバシーのひとつでもあると考えられている。この内容が第三者に漏洩することは、盗難時やカードの置き忘れ等による紛失時に不正使用される危険性があり、カード会社における犯罪を増長させかねない。
本発明は、このような問題点に鑑みてなされたもので、表示部を入力者以外の者に見えにくいように遮蔽する小型入力機用遮蔽装置を提供することを目的とする。
【０００４】
【課題を解決するための手段】
このような課題を解決するための本発明の技術的手段は、本体の表側に個人識別情報等の数字や記号等を入力する入力部及び入力部からの入力情報等を表示する表示部を有した小型入力機に取付けられ上記表示部を入力者以外の者に見えにくいように遮蔽する小型入力機用遮蔽装置において、入力者の上記入力部への入力及び入力者の上記表示部の視認を可能にして上記表示部の周囲に立設される遮蔽板と、該遮蔽板を上記本体に取付ける取付部とを備えた構成としている。
これにより、この遮蔽装置が組み付けられた小型入力機を使用するときは、入力者が入力部から暗証番号等の個人識別情報を入力するが、遮蔽板は入力者の入力部への入力及び入力者の表示部の視認を可能にして表示部の周囲に立設されているので、表示部を見ながらの入力を確保することができる。
また、表示部の周囲には遮蔽板が立設されているので、入力部から暗証番号等の個人識別情報を入力する際、入力者以外の者から表示部が見えにくく、そのため、その内容が知られて個人識別情報が第三者に漏洩する危険性が抑制される。
【０００５】
そして、上記遮蔽板を、上記表示部の後側に位置する後板と、該後板に連設され上記表示部の左右側に位置する一対の側板とを備えて構成している。３方から遮蔽するので、確実に表示部を見えにくくすることができる。また、遮蔽板の前側と上部が開くので、入力者の入力部への入力及び入力者の表示部の視認を確実に確保することができる。
また、上記一対の側板を上記後板から前側に向けて互いに拡開するように設けている。遮蔽板の開口の手前側から手を入れ易く、そのため、入力操作を容易に行なわせることができる。
更に、上記一対の側板の上縁を上に凸の曲線状に形成している。見栄えが良く、外観品質を向上させることができる。また、第三者からの視界遮蔽度を最低限確保するとともに、操作者には鋭角的な緊張感を与えることなく、また、カード挿入部との間にもゆとり空間を確保することができ、操作性、機能性が向上させられる。
【０００６】
更にまた、上記取付部を上記後板及び側板の少なくともいずれかの下縁に連設され上記小型入力機の本体の底面に付設可能な底板で形成した構成としている。底板を本体の底面に取付けるので、取付部が露出しないことになり、そのため、外観品質を向上させることができる。また、底面で保持するので、遮蔽板の保持を確実にすることができる。
また、上記底板を、上記一対の側板の下縁に夫々連設している。各側板を一方側底板と他方側底板の両方で固定できるので、遮蔽板の保持を確実にすることができる。しかも、底板は、本体の底面に取付けられるので、取付部が露出することがなく、そのため、外観品質を向上させることができる。
【０００７】
更に、上記底板に、上記小型入力機の本体の底面に貼着可能な粘着シートを設けた構成としている。取付部の取付けを粘着シートを貼着するだけでできるので、取付けを容易にすることができ、組み付け効率を向上させることができる。
更にまた、上記底板に、上記小型入力機の本体の底面の側縁に対応する基準線を形成した構成としている。底板の本体の底面に対する付設時に全体の位置決めができるので、遮蔽装置を小型入力機に対して姿勢よく設けることができる。
また、上記小型入力機の本体の底面に凸部がある場合に、上記底板に該凸部が貫通可能な切欠きを形成している。凸部が底板と干渉しないので、遮蔽装置を小型入力機に対して姿勢よく設けることができる。
更に、上記小型入力機の本体の底面に一般面と角度が異なる異角面がある場合に、上記底板に該異角面に対応する異角面片を形成している。底板を底面の形状に合わせて付設でき、この点でも、遮蔽装置を小型入力機に対して姿勢よく設けることができる。
【０００８】
そして、必要に応じ、上記後板，一対の側板及び底板を折れ線を介して折曲可能に連設した可撓性シート状部材で形成し、該シート状部材を折れ線で折曲して組み立て可能にした構成としている。シート状部材を打ち抜きにより形成できるので、極めて容易に製造することができる。また、シート状部材を折曲して遮蔽装置を小型入力機に組み付けることができるので、組み付け作業性が極め良く、組み付け効率を向上させることができる。そのため、すでに設置された小型入力機にも容易に遮蔽装置を設けることがき、汎用性を向上させることができる。
この場合、必要に応じ、上記小型入力機の本体の底面に一般面と角度が異なる異角面がある場合に、上記底板に該異角面に対応する異角片を形成し、かつ、異角片を折れ線を介して折曲可能に設けた構成としている。異角片の形成も折曲により行なうことができ、組み付け作業性が極め良く、組み付け効率を向上させることができる。
また、必要に応じ、上記シート状部材を、樹脂で形成している。樹脂なので極めて容易に製造することができ、取扱が容易で、組み付け作業性が極め良く、組み付け効率を向上させることができる。
この場合、上記シート状部材を、塩化ビニル樹脂で形成したことが有効である。塩化ビニル樹脂なので、静電気の帯電性を抑えることができ、電気的影響や埃等の吸着をもたらす弊害を最小限に抑えて、カードや装置への悪影響を防止できる。また、製品の原材料に柔軟性をもった塩化ビニル樹脂を使用することにより、指先の大きな人が操作した場合でも装置が変形しつつ視界を遮蔽し続けることが可能となり、目的を逸脱することなく操作性が向上させられる。
【０００９】
【発明の実施の形態】
以下、添付図面に基づいて本発明の実施の形態に係る小型入力機用遮蔽装置を説明する。
図１，図２，図４及び図６に示すように、本発明の実施の形態に係る小型入力機用遮蔽装置Ｓは、小型入力機Ｋとして、上述したと同様に、小売店等の店舗とカード会社や金融機関との間で通信回線を介して顧客の利用代金に係る処理を行なう取引システムに用いられる所謂ピンパットといわれる小型入力機に適用される。
この小型入力機Ｋは、カード会社や金融機関と接続されるターミナル１にコード１ａを介して接続されており、略直方体状の本体２と、本体２の後側に設けられクレジットカード，デビットカードあるいは所謂ＩＣカード等のカードのデータを読み込むカード挿入部３と、本体２の表側の前側に設けられ個人識別情報等の数字や記号等を入力するテンキー等の押釦ボタン群からなる入力部４と、カード挿入部３と入力部４との間に設けられ入力部４からの入力情報等を液晶表示する表示部５とを備えている。
また、本体２の底面７の後側に脚部６が突設され、図４に示すように、この脚部６の前側面は底面７の一般面に対して直角に立ち上がり一般面と角度が異なる第一異角面６ａとして形成されている。更に、本体２の底面７の前側は底面７の一般面７ａに対して傾斜形成されており、一般面７ａと角度が異なる第二異角面７ｂとして形成されている。
そして、小型入力機Ｋは、脚部６及び底面７の前側（第二異角面７ｂ）を接地させて、表側を入力者に操作させ易いように傾斜させて載置される。
更に、図４に示すように、本体２の底面７の脚部６の直前には、ターミナルに接続されるコード１ａが配線されるコネクタ部等の凸部８が形成されている。
【００１０】
本発明の実施の形態に係る小型入力機用遮蔽装置Ｓは、図１乃至図５に示すように、入力者の入力部４への入力及び入力者の表示部５の視認を可能にして表示部５の周囲に立設される遮蔽板１０と、遮蔽板１０を本体２に取付ける取付部２０とを備えて構成されている。
遮蔽板１０は、表示部５の後側に位置する後板１１と、後板１１に連設され表示部５の左右側に位置する一対の側板１２，１２とを備えて構成されている。詳しくは、後板１１は本体２の脚部６の後側面に沿って立設され、側板１２は本体２の側面に対峙して立設されている。この遮蔽板１０により、本体２の入力部４及び表示部５が前側と上部とから視認できるように覆われている。
また、一対の側板１２は、後板１１から前側に向けて互いに拡開するように設けられている。例えば、図２及び図３に示すように、側板１２は本体２の側面に対して角度θ（例えばθ＝５°）だけ傾斜して設けられる。
更に、一対の側板１２の上縁１２ａは、上に凸の曲線状に形成されている。即ち、側板１２は略扇状に形成され、円を約９０度に切った形状となっている。そのため、見栄えが良く、外観品質が向上させられる。
【００１１】
また、取付部２０は、後板１１及び側板１２の少なくともいずれかの下縁に連設され、実施の形態では側板１２の下縁１２ｂに連設されており、小型入力機Ｋの本体２の底面７に付設可能な底板２１で形成されている。底板２１は、一対の側板１２の下縁１２ｂに夫々連設されており、一方の側板１２に連設され底面７の前側半分を略覆う一方側底板２１Ａと、他方の側板１２に連設され一方側底板２１Ａの側板１２に対する連設部とは反対側の側縁部２２に重畳される矩形状の他方側底板２１Ｂとから構成されている。
一方側底板２１Ａには、小型入力機Ｋの本体２の底面７の両側縁７ｃに対応する基準線Ｐが形成されている。基準線Ｐはミシン目で形成されている。
また、一方側底板２１Ａには、小型入力機Ｋの本体２の底面７にある凸部８が貫通可能な切欠き２３が形成されている。
【００１２】
更に、一方側底板２１Ａの切欠き２３の左右には、小型入力機Ｋの本体２の底面７にある一般面７ａと角度が異なる第一異角面６ａに対応して接合する第一異角片２４が形成されている。また、一方側底板２１Ａの前側には、小型入力機Ｋの本体２の底面７にある一般面７ａと角度が異なる第二異角面７ｂに対応して接合する矩形状の第二異角片２５が形成されている。
更にまた、一方側底板２１Ａの第二異角片２５には小型入力機Ｋの本体２の底面７の第二異角面７ｂに貼着可能な粘着シート２６が設けられている。一方側底板２１Ａの一般部にも本体２の底面７の一般面７ａに貼着可能な二条の粘着シート２６が設けられている。また、他方側底板２１Ｂにも本体２の底面７の一般面７ａに貼着された一方側底板２１Ａに貼着可能な粘着シート２６が設けられている。粘着シート２６は、実施の形態では、両面粘着テープで構成されている。
【００１３】
そしてまた、図３及び図４に示すように、後板１１，一対の側板１２及び底板２１は、折れ線ｅを介して折曲可能に連設された可撓性シート状部材３０で形成され、全体がこのシート状部材３０を折れ線ｅで折曲して組み立て可能に形成されている。また、底板２１において、第一異角片２４及び第二異角片２５も、折れ線ｅを介して折曲可能に設けられている。
このシート状部材３０は、樹脂で形成され、実施の形態では、塩化ビニル樹脂で形成されている。
【００１４】
従って、この実施の形態に係る小型入力機用遮蔽装置Ｓを製造するときは、塩化ビニル樹脂シートを打ち抜き形成してシート状部材３０を形成し、折れ線ｅをプレスで押圧形成する。また、基準線Ｐをミシン目形成する。この場合、塩化ビニル樹脂シートを打ち抜き形成するだけで、遮蔽板１０及び取付部２０である底板２１を一体形成できるので、極めて容易に製造することができる。
その後、底板２１に両面テープからなる粘着テープを貼着して、粘着シート２６を形成する。粘着テープの両面には粘着不能な被覆シート（図示せず）が被覆されており、一方側の被覆シートを剥して粘着テープの一方側面を底板２１に貼着する。
【００１５】
次に、この実施の形態に係る小型入力機用遮蔽装置Ｓを小型入力機Ｋに組み付けるときは、図４及び図５に示すように、シート状部材３０を折れ線ｅで折り曲げ、後板１１を本体２の脚部６の後側面に沿わせて位置させ、側板１２を本体２の側面に対峙させて位置させ、先ず、一方側底板２１Ａの粘着テープの他方側面の被覆シート（図示せず）を剥して、一方側底板２１Ａを底面７に貼着する。この場合、図２に示すように、一方側底板２１Ａに形成した基準線Ｐを、小型入力機Ｋの本体２の底面７の両側縁７ｃに対応させる。そのため、底板２１の本体２の底面７に対する付設時に全体の位置決めができるので、遮蔽装置Ｓを小型入力機Ｋに対して姿勢よく設けることができる。特に、一対の側板１２は、後板１１から前側に向けて互いに拡開するように設けられているが、この側板１２を本体２の側面に対して所定の角度（角度θ＝５°）に正確に合わせて傾斜して設けることができる。
【００１６】
また、この場合、一方側底板２１Ａの切欠き２３を、小型入力機Ｋの本体２の底面７にある凸部８に貫通させる。そのため、凸部８が底板２１と干渉しないので、遮蔽装置Ｓを小型入力機Ｋに対して姿勢よく設けることができる。
更に、図４に示すように、一方側底板２１Ａの第一異角片２４を折れ線ｅから折曲して（図４中Ａ方向）、小型入力機Ｋの本体２の底面７にある第一異角面６ａに対応して接合するとともに、一方側底板２１Ａの第二異角片２５を折れ線ｅから折曲して（図４中Ｂ方向）、小型入力機Ｋの本体２の底面７にある第二異角面７ｂに対応して接合する。そのため、底板２１を底面７の形状に合わせて付設でき、この点でも、遮蔽装置Ｓを小型入力機Ｋに対して姿勢よく設けることができる。
その後、他方側底板２１Ｂの粘着テープの他方側面の被覆シート（図示せず）を剥して、他方側底板２１Ｂを本体２の底面７の一般面７ａに貼着された一方側底板２１Ａの側縁部２２に貼着する。この場合、各側板１２は一方側底板２１Ａと他方側底板２１Ｂの両方で固定されるので、保持が確実になる。しかも、底板２１は、本体２の底面７に取付けられるので、取付部２０が露出することがなく、そのため、外観品質が向上させられる。
これにより、組み付けが終了する。この場合、シート状部材３０を折曲して、粘着テープで貼着するだけで、遮蔽装置Ｓを小型入力機Ｋに組み付けることができるので、組み付け作業性が極め良く、組み付け効率が向上させられる。そのため、小売店等にすでに設置された小型入力機Ｋにも容易に遮蔽装置Ｓを設けることがき、汎用性が向上させられる。
【００１７】
このように遮蔽装置Ｓが組み付けられた小型入力機Ｋを使用するときは、例えば、デビットカードを使用する場合で説明すると、小売店で顧客がデビットカードにより代金を支払う際に、店員が顧客に小型入力機Ｋを受け渡して、デビットカードを小型入力機Ｋのカード挿入部３に挿入するとともに、顧客が入力部４から暗証番号等の個人識別情報を入力する。これにより、例えば、金融機関等に入力データ等が転送され、利用代金が顧客の貯金口座から自動引き落としされて加盟店へ入金されるようになる。
この顧客が入力部４から暗証番号等の個人識別情報を入力する際には、遮蔽板１０の前側と上部が開いているので、入力者の入力部４への入力及び入力者の表示部５の視認が可能になる。この場合、一対の側板１２が後板１１から前側に向けて互いに拡開するように設けられているので、手前側から手を入れ易く、そのため、入力操作が容易に行なわれる。即ち、製品形状を正面手前から見て、手前裾広がりの形状としたことで、遮蔽装置Ｓが入力操作を干渉しないようにかつ、第三者からの視界を遮蔽し続けることが可能となり、目的を逸脱することなく操作性が向上させられる。
また、表示部５の周囲には遮蔽板１０が立設されているので、入力部４から暗証番号等の個人識別情報を入力する際、近隣の顧客や店舗従業員等から、表示部５が見えにくく、そのため、その内容が知られて個人識別情報が第三者に漏洩される危険性が抑制される。特に、遮蔽板１０は、表示部５の後側に位置する後板１１と、後板１１に連設され表示部５の左右側に位置する一対の側板１２とからなり、３方から遮蔽しているので、確実に表示部５を見えにくくすることができる。
更にまた、装置が塩化ビニル樹脂で形成されているので、静電気の帯電性を抑えることができ、カードや装置への電気的影響や埃等の吸着をもたらす弊害を最小限に抑えて、悪影響を防止できる。また、製品の原材料に柔軟性をもった塩化ビニル樹脂を使用することにより、指先の大きな人が操作した場合でも装置が変形しつつ視界を遮蔽し続けることが可能となり、目的を逸脱することなく操作性が向上させられる。
更に、側板１２は略扇状に形成され、円を約９０度に切った形状となっているので、第三者からの視界遮蔽度を最低限確保するとともに、操作者には鋭角的な緊張感を与えることなく、また、カード挿入部３との間にもゆとり空間を確保することができ、この点でも操作性、機能性が向上させられる。
【００１８】
尚、上記実施の形態に係る小型入力機用遮蔽装置Ｓは、所謂ピンパットといわれる小型入力機Ｋに適用したものであるが、必ずしもこれに限定されるものではなく、個人識別情報等を入力する小型入力機Ｋであれば、どのようなものでも適用できることは勿論である。
【００１９】
【発明の効果】
以上説明したように、本発明の小型入力機用遮蔽装置によれば、遮蔽板は入力者の入力部への入力及び入力者の表示部の視認を可能にして表示部の周囲に立設されているので、表示部を見ながらの入力を確保することができる。そして、入力部から暗証番号等の個人識別情報を入力する際には、表示部の周囲には遮蔽板が立設されているので、近隣の顧客や店舗従業員等から、表示部が見えにくく、そのため、その内容が知られて個人識別情報が第三者に漏洩する危険性を抑制することができる。その結果、個人の信用やプライバシーを守ることができ、カードの不正使用の危険性を防止できる。
その結果、遮蔽装置を装着した小型入力装置の設置店舗等では、顧客に対しクレジットカード、デビットカード決済に対する安全性への配慮とその向上への努力をアピールすることができ、店舗に対する信頼性を顧客から得ることができる等の派生効果が生じる。
【００２０】
そして、遮蔽板を後板と一対の側板とを備えて構成したことから、３方から遮蔽するので、確実に表示部を見えにくくすることができる。また、遮蔽板の前側と上部が開くので、入力者の入力部への入力及び入力者の表示部の視認を確実に確保することができる。
また、一対の側板を後板から前側に向けて互いに拡開するように設けたので、遮蔽板の開口の手前側から手を入れ易く、そのため、入力操作を容易に行なわせることができる。
更に、一対の側板の上縁を上に凸の曲線状に形成したので、見栄えが良く、外観品質を向上させることができる。
更にまた、取付部を後板及び側板の少なくともいずれかの下縁に連設され小型入力機の本体の底面に付設可能な底板で形成したことから、底板を本体の底面に取付けるので、取付部が露出しないことになり、そのため、外観品質を向上させることができる。また、底面で保持するので、遮蔽板の保持を確実にすることができる。
また、底板を一対の側板の下縁に夫々連設したことから、各側板を一方側底板と他方側底板の両方で固定できるので、遮蔽板の保持を確実にすることができる。しかも、底板は、本体の底面に取付けられるので、取付部が露出することがなく、そのため、外観品質を向上させることができる。
【００２１】
更に、底板に小型入力機の本体の底面に貼着可能な粘着シートを設けたことから、取付部の取付けを粘着シートを貼着するだけでできるので、取付けを容易にすることができ、組み付け効率を向上させることができる。
更にまた、底板に小型入力機の本体の底面の側縁に対応する基準線を形成したことから、底板の本体の底面に対する付設時に全体の位置決めができるので、遮蔽装置を小型入力機に対して姿勢よく設けることができる。
また、小型入力機の本体の底面に凸部がある場合に、底板に凸部が貫通可能な切欠きを形成したことから、凸部が底板と干渉しないので、遮蔽装置を小型入力機に対して姿勢よく設けることができる。
更に、小型入力機の本体の底面に一般面と角度が異なる異角面がある場合に、底板に異角面に対応する異角片を形成したので、底板を底面の形状に合わせて付設でき、この点でも、遮蔽装置を小型入力機に対して姿勢よく設けることができる。
【００２２】
そして、後板，一対の側板及び底板を折れ線を介して折曲可能に連設した可撓性シート状部材で形成し、このシート状部材を折れ線で折曲して組み立て可能にした場合には、シート状部材を打ち抜きにより形成できるので、極めて容易に製造することができる。また、シート状部材を折曲して遮蔽装置を小型入力機に組み付けることができるので、組み付け作業性が極め良く、組み付け効率を向上させることができる。そのため、すでに設置された小型入力機にも容易に遮蔽装置を設けることがき、汎用性を向上させることができる。
また、小型入力機の本体の底面に一般面と角度が異なる異角面がある場合に、底板に該異角面に対応する異角片を形成し、かつ、異角片を折れ線を介して折曲可能に設けた場合には、異角片の形成も折曲により行なうことができ、組み付け作業性が極め良く、組み付け効率を向上させることができる。
更に、シート状部材を、樹脂で形成した場合には、極めて容易に製造することができ、取扱が容易で、組み付け作業性が極め良く、組み付け効率を向上させることができる。
更にまた、シート状部材を、塩化ビニル樹脂で形成した場合には、塩化ビニル樹脂なので、静電気の帯電性を抑えることができ、電気的影響や埃等の吸着をもたらす弊害を最小限に抑えて、カードや装置への悪影響を防止できる。また、製品の原材料に柔軟性をもった塩化ビニル樹脂を使用することにより、指先の大きな人が操作した場合でも装置が変形しつつ視界を遮蔽し続けることが可能となり、目的を逸脱することなく操作性が向上させられる。
【図面の簡単な説明】
【図１】本発明の実施の形態に係る小型入力機用遮蔽装置を小型入力機に取付けた状態で示す斜視図である。
【図２】本発明の実施の形態に係る小型入力機用遮蔽装置を小型入力機に取付けた状態で示す正面図である。
【図３】本発明の実施の形態に係る小型入力機用遮蔽装置を展開状態で内側面から見て示す図である。
【図４】本発明の実施の形態に係る小型入力機用遮蔽装置を展開状態で外側面から見て示すとともに小型入力機の裏側の状態とともに示す斜視図である。
【図５】本発明の実施の形態に係る小型入力機用遮蔽装置を組み立てた状態で示す斜視図である。
【図６】本発明の実施の形態に係る小型入力機用遮蔽装置が適用される小型装置としての所謂ピンパットのシステムを示す図である。
【符号の説明】
Ｓ  小型入力機用遮蔽装置
Ｋ  小型入力機
１  ターミナル
１ａ  コード
２  本体
３  カード挿入部
４  入力部
５  表示部
６  脚部
６ａ  第一異角面
７  底面
７ａ  一般面
７ｂ  第二異角面
７ｃ  側縁
８  凸部
１０  遮蔽板
１１  後板
１２  側板
１２ａ  上縁
１２ｂ  下縁
２０  取付部
２１  底板
２１Ａ  一方側底板
２１Ｂ  他方側底板
Ｐ  基準線
２３  切欠き
２４  第一異角片
２５  第二異角片
２６  粘着シート
３０  シート状部材
【図１】
0003574950.tif 000002
【図２】
0003574950.tif 000003
【図３】
0003574950.tif 000004
【図４】
0003574950.tif 000005
【図５】
0003574950.tif 000006
【図６】
0003574950.tif 000007